(57)【特許請求の範囲】
【請求項１】
中央部に垂直に軸の一端が固定された第１のフランジと，中央部に穴が開けられた第２のフランジとを含み，これらのフランジがそれぞれ，ドラムを形成したときに内側となる方向に突出した保持部を有し，この保持部が短筒状の環状受部と，この環状受部から軸心に向かって傾斜して延びたテーパ状案内部とを有している，組立セットを用い，
芯胴にロープ類が巻回されてなるドラム巻製品の芯胴に，一方の端部から第１のフランジの軸を挿入し，かつ第１のフランジをドラム巻製品の一端面に当接させ，芯胴の他方の端部から突き出た軸の他端部を第２のフランジの中央部の穴に入るようにして第２のフランジをドラム巻製品の他端面に当接させ，第２のフランジの中央部の穴から突出した軸の他端部に抜止めを施こす，
ロープ類引出しドラムの組立方法。
【請求項２】
軸の他端部にねじを形成し，組立セットに締付用ナットを含ませておき，
第２のフランジの中央部の穴から突出した軸の他端部にナットをねじ嵌める，請求項１に記載のロープ類引出しドラムの組立方法。
【請求項３】
ドラム巻製品を組立台上に，芯胴が水平になるようにして置き，第１のフランジおよび第２のフランジを水平方向からドラム巻製品の両端面に当接させる，請求項１または２に記載のロープ類引出しドラムの組立方法。
【発明の詳細な説明】
【０００１】
【産業上の利用分野】
この発明はロープ類引出しドラムの組立セット，この組立セットに含まれるロープ類引出しドラム組立用フランジ，ロープ類引出しドラムの組立方法，および組立てられたロープ類引出しドラムに関する。
【０００２】
ロープ類とは，ロープ，ワイヤ，スチール・コード，フィラメント，金属線，鋼索，合成樹脂線，綱，紐等の種々の名称で呼ばれる線状体（撚り線を含む）のすべてを包含し，その材料は問わない。
【０００３】
【従来技術】
ロープ類はさまざまな形態（製品）で提供される。その一は，リールに巻回された状態で提供される製品である。その二は，芯胴に巻回された状態で提供されるドラム巻製品である。これらのロープ類製品が建設現場に運ばれて使用される。
【０００４】
リールに巻回された製品においてはリールがフランジを持っているので，ドラムローラ上に乗せ，リールを回転させながらロープ類を引出すことができる。しかしながら，ロープ使用後に空のリールは廃材となる。空のリールの回収，廃棄，再生等に費用がかかるという問題がある。
【０００５】
また，ドラム巻製品では芯胴（紙スリーブ）にロープ類が巻回されているだけであるから，ドラムローラを用いることができない。ドラム巻製品を水平な場所に置いてロープ類を引出していた。この場合には撚りを戻しながら延線しなければならず，最低２名，多い場合には数名の人手が必要となる。
【０００６】
【発明の開示】
この発明は，ロープ類が芯胴に巻回されたドラム巻製品に適用して現場においてロープ類の引出しを容易にすることができるロープ類引出しドラム組立セットを提供することを目的とする。
【０００７】
この発明はまた，上記のロープ類引出ドラム組立セットを用いたロープ類引出ドラム組立方法を提供することを目的とする。
【０００８】
この発明はさらに，上記のロープ類引出しドラム組立セットに含まれるロープ類引出しドラム組立用フランジを提供することを目的とする。
【０００９】
さらにこの発明は，ドラム巻製品とロープ類引出しドラム組立セットとを用いて組立てられたロープ類引出しドラムを提供することを目的とする。
【００１０】
この発明によるロープ類引出しドラム組立セットは左右２つのフランジと，これらのフランジを連結する軸と，軸の一方の端部に一方のフランジを連結する第１の連結具と，軸の他方の端部に他方のフランジを連結する第２の連結具とを備えたものである。左右のフランジはそれぞれ，ドラムを形成したときに内側となる方向に突出した保持部を有する。この保持部は，短筒状の環状受部と，この環状受部からフランジの中心方向に傾斜して延びたテーパ状案内部とを有している。
【００１１】
一実施態様では，第１および第２の連結具のうちの一方が，フランジと軸の端部とを一体的に固定している。軸はフランジの内面の中央部にフランジに垂直に固定されている。ここで，一体的に固定とは，着脱不能に固着（たとえば溶着）された状態を含む。この場合には，固定具は固着されたフランジ部分と軸の端部とからなる。また，一体的に固定とは，前もって（現場ではなく）軸とフランジとを固定しておくことを含む。さらに一体的に固定とは，容易には着脱不能な状態で軸とフランジとを固定しておくことを含む。この場合に，固定具はたとえば，軸の一端に固定（固着を含む）された円盤と，この円盤とフランジとを固定するボルト／ナット，リベット（締結具）とから構成される。
【００１２】
他の実施様態では，第１および第２の連結具のうち少なくとも一方が，フランジを軸の端部から外れないように抜止めする締結具を含む。締結具の具体例としては，軸の端部に形成されたねじにねじはめられる締付用ナットである。フランジには軸の端部が通る穴があけられている。締付用ナットは穴よりも大きい。締付用ナットには好ましい態様においては，ナットを手で廻しやすいように，ナットから放射状にのびるハンドルが設けられる。
【００１３】
好ましくは，少なくともいずれか一方のフランジに，ドラム巻製品のロープ類の巻始め端部またはこれに連結されたワイヤを引出す穴が形成され，上記フランジの外面に上記穴から引出されたロープ類の巻始め端部またはワイヤを固定する掛け具が設けられる。穴および掛け具の大きさ，形状，および設置する位置は任意に定めることができる。ここでワイヤとはロープ類と同じように種々の名称で呼ばれる線状体の意味であり，その材料を問わない。ロープ類と区別するためにワイヤという用語を用いる。この実施態様では，一般には，ワイヤはロープ類よりも細い。
【００１４】
この発明は上記のロープ類引出しドラム組立セットに含まれるフランジも提供している。すなわち，この発明によるロープ類引出しドラム組立用フランジはドラムを形成したときに内側となる方向に突出した保持部を有する。この保持部は短筒状の環状受部と，この環状受部からフランジの中心方向に傾斜して延びたテーパ状案内部とを有している。このロープ類引出しドラム組立用フランジは，一組の組立用フランジとして，または組立用フランジとして単独でも提供され得る。
【００１５】
この発明は上記のロープ類引出しドラム組立セットを用いたロープ類引出しドラムの組立方法も提供している。この組立方法では，現場で容易に組立ができるように，中央部に垂直に軸の一端が固定された第１のフランジと，中央部に穴が開けられた第２のフランジとを含む組立セットを用いる。これらのフランジはそれぞれ，ドラムを形成したときに内側となる方向に突出した保持部を有し，この保持部が短筒状の環状受部と，この環状受部から軸心に向かって傾斜して延びたテーパ状案内部とを有する。この発明の組立方法は，上記の組立セットを用い，芯胴にロープ類が巻回されてなるドラム巻製品の芯胴に，一方の端部から第１のフランジの軸を挿入し，かつ第１のフランジをドラム巻製品の一端面に当接させ，芯胴の他方の端部から突出た軸の他端を第２のフランジの中央部の穴に入るようにして第２のフランジをドラム巻製品の他端面に当接させ，第２のフランジの中央部の穴から突出した軸の他端に抜止めを施こすものである。
【００１６】
フランジの保持部に形成されたテーパ状案内部は，ドラム巻製品の芯胴に，一方の端部から第１のフランジの軸を挿入し，かつ第１のフランジをドラム巻製品の一端面に当接させるときに，環状受部を芯胴の内部に円滑に導くものである。同じように第２のフランジをドラム巻製品の他端面に当接させるときに，第２のフランジのテーパ状案内部によってその環状受部が芯胴内にスムーズに導かれる。
【００１７】
第２のフランジの中央部の穴から突出した軸の他端に抜止めを施すことは周知の種々の方法で行うことができる。たとえば，軸の他端部に径方向に穴をあけておき，この穴に割ピンを差込んでもよい。
【００１８】
好ましくは，軸の他端部にねじを形成しておき，ロープ類引出しドラム組立セットに締付用ナットを含ませておき，第２のフランジの中央部の穴から突出した軸の他端部にこの締付用ナットをねじ嵌めるようにする。抜止めがきわめて容易である。上述のように締付用ナットにハンドルを設けておくと，ロープ類引出しドラムの組立て，分解が手作業で容易に行なえる。
【００１９】
この発明によると，ロープ類が芯胴に巻回されたドラム巻製品を用いてロープ類引出しドラムを現場で容易に組立てることができる。ロープ類引出しドラムを，ドラムローラ上に乗せ，ドラム巻製品からロープ類を引出すことができる。従来，ドラム巻製品からのロープ類引出しの際に必要であった撚り戻しの作業が不要となる。したがって作業者の人数も少なくてすむ。ロープ類をすべて使い切ったときには芯胴のみが残ることになる。従来のリール巻製品のリールのように破棄，回収，再生等に費用が嵩むこともない。ロープ類がすべて差戻されたドラムを分解すると，再びロープ類引出しドラム組立セットが得られる。この組立セットを再び用いて別のドラム巻製品に適用し，ロープ類引出しドラムを組立てることができる。ロープ類引出しドラム組立セットは何度でも使用可能である。
【００２０】
ロープ類引出しドラム組立セットを用いてロープ類引出しドラムをつくる場合にはドラム巻製品を載せる組立台を用いるとよい。この組立台上にドラム巻製品を芯胴が水平になるようにして置き，第１のフランジおよび第２のフランジを水平方向からドラム巻製品の両端面に当接させることができる。
【００２１】
もちろん，第１のフランジの軸をドラム巻製品の芯胴に挿通したのち，第１のフランジがドラム巻製品の下になるようにドラム巻製品を横転させ，第２のフランジをドラム巻製品の他面に上から被せるようにして軸に取付けるようにしてもよい。
【００２２】
軸が固定されたフランジを用いずに，２つのフランジと，これらとは分離している軸とを含む組立セットを用いても，ロープ類引出しドラムをつくることができるのはいうまでもない。この場合には，軸の両端にフランジを抜止めした形態で連結する作業を現場で行うことになる。
【００２３】
この発明はさらに，上述した組立方法によってつくられた完成品としてのロープ類引出しドラムも提供している。
【００２４】
この発明によるロープ類引出しドラムは左右２つのフランジと，これらのフランジを連結する軸と，芯胴にロープ類が巻回されてなるドラム巻製品とから構成されている。左右のフランジはそれぞれ，ドラムを形成したときに内側となる方向に突出した保持部を有し，この保持部は，芯胴の内周面に沿う環状受部と，この環状受部から内方に向かって芯胴またはフランジの中心方向に傾斜したテーパ状案内部とを有する。上記ドラム巻製品の両端を左右のフランジで挟み，かつフランジの環状受部が芯胴の両端から内部に入った状態で，軸が芯胴の中心を通り，軸の両端がフランジの中央部にそれぞれ連結または固定されている。ここで，芯胴またはフランジの中心方向に傾斜するとは，軸心の方向に傾斜することを意味している。
【００２５】
環状受部の外径は芯胴の内径とほぼ等しいか，やや小さい程度である。また環状受部はフランジの面に垂直であり，どの箇所でも径が等しい短筒状である。芯胴の両端はフランジの内面に当接している。軸の外径は芯胴の内径よりもずっと小さいものである。
【００２６】
好ましい実施様態では，少なくともいずれか一方のフランジに，ドラム巻製品のロープ類の巻始め端部またはこれに連結されたワイヤを引出す穴が形成され，上記フランジの外面に上記穴から引出された巻始め端部またはワイヤを固定する掛け具が設けられている。ドラム巻製品のロープ類の巻始め端部またはこれに連結されたワイヤをドラムに固定することができるので，すべてのロープ類が引出されたときにこの端部が跳ねて起きる事故を未然に防止することができる。
【００２７】
【実施例の説明】
図１から図４は，芯胴にロープ類が巻回されてなるドラム巻製品とロープ類引出しドラム組立セットとを用いて組立てられたロープ類引出しドラムを示すものである。図１はロープ類引出しドラム１の斜視図である。図２は断面図，図３は左側面図，図４は右側面図である。ロープ類引出しドラム組立セットは左右２つのフランジ３Ａ，３Ｂと，これらのフランジ３Ａ，３Ｂを連結する軸２と，軸２の一方の端部に一方のフランジ３Ａを連結（抜止め）する第１の連結具４と，軸２の他方の端部に他方のフランジ３Ｂを固定（連結）する第２の連結具５とを含む。ドラム巻製品６はロープ類引出しドラム組立セットと区別するために鎖線で描かれており，円筒状の芯胴６０にロープ類６１が巻回されてなる。芯胴６０は一般には厚紙製であるが，プラスチック，その他の材料よりつくることもできる。これらの組立セットとドラム巻製品６とによりロープ類引出しドラム１がつくられている。以下の記述では，組立てられた状態の（完成品としての）ロープ類引出しドラム１の構造について説明し，最後に組立て方法および使用方法について説明する。
【００２８】
左右のフランジ３Ａ，３Ｂの中央部にはそれぞれ，ドラム１を形成したときに内側となる方向に突出した保持部３８が形成されている。保持部３８の中心はフランジ３Ａ，３Ｂの中心と一致している。この保持部３８の拡大図が図５に示されている。保持部３８は，芯胴６０の内周面に沿う短筒状の環状受部３８ａと，この環状受部３８ａから内方に向かってフランジ３Ａ，３Ｂの中心方向（軸２の軸心方向）に傾斜した環状でかつテーパ状の案内部３８ｂとを有する。ドラム巻製品の両端を左右のフランジ３Ａ，３Ｂで挟み，かつフランジ３Ａ，３Ｂの環状受部３８ａが芯胴６０の両端から内部に入った状態で，軸２が芯胴６０の中心を通り，軸２の両端がフランジ３Ａ，３Ｂの中央部にそれぞれ第１，第２の連結具４，５により固定（連結）されている。環状受部３８ａの外径は芯胴６０の内径とほぼ等しいか，やや小さい程度である。フランジ３Ａ，３Ｂの内面はコイル巻製品６の両端面に接している。軸２は管状であり，芯胴６０よりもはるかに細い。フランジ３Ａ，３Ｂ，軸２，連結具４，５は鉄製または鋼鉄製である。
【００２９】
軸２の一端部とフランジ３Ａとを固定する第１の連結具４の構成は次の通りである。軸２の一端面には円盤４１が固着（溶着）されている。この円盤４１とフランジ３Ａ（フランジ３Ａの保持部３８）とは数箇所でボルト／ナット４２により締結されている。これにより軸２はフランジ３Ａにその中心において垂直に固定されている。軸２の一端部が若干外方に突出するようにフランジ３Ａの中央部に穴があけられている。
【００３０】
第２の連結具５の構造は次の通りである。フランジ３Ｂの中央には穴があけられ，この穴にはカラー５１が固定（はめ込み，かしめまたは溶着）されている。一方，軸２の他端部にはねじが形成されている。このねじの部分がカラー５１の穴を通り外方に突出している。軸２の他端部のねじにはハンドル付きロックナット５２がねじはめられている。ハンドル付きロックナット（締付用ナット）５２を使用することにより，締付トルクを大きくし，工具類を使用せずに手締めでローブ類引出しドラム１を組立または解体をすることができる。このロックナット５２のハンドル５３はロックナット５２から放射状に，かつやや外方に斜めに延びている。
【００３１】
フランジ３Ａ，３Ｂには，その保持部３８において、フランジの軽量化を計るために４つの穴３３があけられ，さらにその外部において３つの長穴３２があけられている。さらにフランジ３Ａ，３Ｂにはその外面に３つの掛け具３４が固定されている。これらの穴３２および掛け具３４は，ドラム巻製品６のロープ類６１の巻始め端部を固定するものである。すなわち，ドラム巻製品６のロープ類６１の巻始め端部に一端が結ばれたワイヤ６２をいずれか一方のフランジの穴３２のいずれかから外部に引出し，掛け具３４に結びつけておく。これにより，ドラム１からすべてのロープ類６１が引出されたときにロープ類６１の巻始め端部が外へ飛び出す（跳ねる）ことが防止される。掛け具３４はドラム１を移動させるときに，手で握ることもできる。ロープ類の巻始め端部がばらけないように、ワイヤ６２の一端部を巻始め端部に巻付けて止めておくことが好ましい（シージング）。
【００３２】
フランジ３の外周は外側に折り返され（縁部３７），強度が高められているとともに，ドラム１を転がして移動できるようになっている。
【００３３】
図６は組立セットを用いてロープ類引出しドラム１を組立てる様子を示している。
【００３４】
ドラム巻製品６を組立台８上に置く。このとき，ドラム巻製品６の芯胴６０は水平になるようにする。
【００３５】
好ましくは，事前に，フランジ３Ａにボルト／ナット４２（第１の固定具４）により軸２を垂直に固定しておく。
【００３６】
軸２が固定されたフランジ３Ａを持ち，軸２をドラム巻製品６の芯胴６０内に挿入しながら，フランジ３Ａをドラム巻製品６の一端面に当てる。このときフランジ３Ａの保持部３８のテーパ状案内部３８ｂは芯胴６０の端面に沿い，保持部３８の挿入を誘導し，環状受部３８ａが芯胴６０に嵌る。
【００３７】
ドラム巻製品６のロープ類６１の巻始め端部に巻付けられたワイヤ６２をフランジ３Ａまたは３Ｂの穴３２に通し，フランジ外側の掛け具３４に結びつける。
【００３８】
芯胴６０を貫通してドラム巻製品６の他端面側に突出した軸２の他端部をフランジ３Ｂの中心部のカラー５１の穴に通すように，フランジ３Ｂをドラム巻製品６の他端面に当てる。このときにもフランジ３Ｂの保持部３８のテーパ状案内部３８ｂが芯胴６０内に円滑に入っていきその環状受部３８ａが芯胴６０内に嵌り込む。
【００３９】
カラー５１の穴を通してフランジ３Ｂの外側に突出した軸２の他端部のねじにハンドル付きロックナット５２を締付ける。
【００４０】
以上により，ロープ類引出しドラム１が完成する。この組立作業は現場で道具を使わずに，少ない人数で容易に行うことができる。
【００４１】
図７は上述のようにして完成したロープ類引出しドラム１の使用状態を示している。組立たロープ類引出しドラム１をドラムローラ９に置く。ロープ類６１をドラム１の下から引っ張り出す。ドラム１はドラムローラ９のローラの上で回転する。
【００４２】
引出しドラム１のロープ類を使い切ると，芯胴を含むドラム１が残る。このドラム１をロックナット５２をゆるめることにより，解体することができる。解体により再び引出しドラム組立セットが得られるので，これを何度も使用することができる。
【図面の簡単な説明】
【図１】ロープ類引出しドラムの斜視図である。
【図２】図３のII−II線に沿う断面図である。
【図３】ロープ類引出しドラムの左側面図である。
【図４】ロープ類引出しドラムの右側面図である。
【図５】保持部の拡大断面図である。
【図６】ロープ類引出しドラムの組立状態を示す斜視図である。
【図７】ロープ類引出しドラムの使用状態を示す斜視図である。
【符号の説明】
１  ロープ類引出しドラム
２  軸
３Ａ，３Ｂ  フランジ
４，５  連結具
６  ドラム巻製品
３８  保持部
３８ａ  環状受部
３８ｂ  テーパ状案内部
３２  穴
３４  掛け具
５２  ロックナット
６０  芯胴
６１  ロープ類
６２  ワイヤ
【図１】
0003816315.tif 000002
【図２】
0003816315.tif 000003
【図３】
0003816315.tif 000004
【図４】
0003816315.tif 000005
【図５】
0003816315.tif 000006
【図６】
0003816315.tif 000007
【図７】
0003816315.tif 000008